(57)【特許請求の範囲】
【請求項１】
運搬車の荷台上に搭載可能とした平面長方形状の穀類容器の底部中央長手方向にスクリュー移送体を軸架し、このスクリュー移送体の穀類搬送端に設けた排出口下部に、排出口からの排出穀類を受け入れてこれを外方に排出させる搬送体を接続させて搬送体内の移送体を駆動するモータを備えた穀類排出口部を回動可能に接続してなる穀類容器において、前記穀類容器の左右長辺側略中心位置に、台車構造の移動支持手段を着脱可能に、かつ移動支持手段に対して穀類容器が水平，垂直の２姿勢で支持できるように軸支連結するとともに、この軸支連結部に、前記穀類容器の垂直姿勢が、前記穀類排出口部を設置した側の下向回動によってのみ得られるようにした回動方向規制手段を設けたことを特徴とする穀類容器の取扱い装置。
【請求項２】
穀類排出口部は、穀類容器に対し回動をロックする手段と、穀類容器の垂直姿勢時におけるモータの浮上り防止手段を有していることを特徴とする請求項１記載の穀類容器の取扱い装置。
【発明の詳細な説明】
【０００１】
【産業上の利用分野】
本発明は、穀類容器の取扱い装置の改善に関する。
【０００２】
【従来技術とその課題】
従来のこの種穀類容器の取扱い装置は、図１２に示すように、穀類容器の左右外側の前後４ケ所にキャスターをもつ支持手段を着脱可能に装着し、一方穀類容器の左右中央部（図示略）に設けた昇降リフターを運搬車の荷台上面に作用させて荷台面から穀類容器を若干上昇させた状態で前記昇降キャスター機構の脱着操作を行い、穀類容器を荷台上に搭載するか或は荷卸しし所定の場所に格納するようにしたものである。
このような従来例によれば、穀類容器の運搬車への搭載又は荷卸し作業に煩雑性があるばかりでなく、不使用時に格納する場合、穀類容器の平面形状そのままの広いスペースが必要であること、及び狭い所を通ることができないことがあるなど取扱い上の不都合があった。
【０００３】
本発明の目的は、穀類容器の運搬車荷台への搭載及び荷卸し作業が容易で、穀類容器の垂直姿勢での移動，格納を可能とし、格納スペースの大巾な縮小と移動効率の向上を図ることにある。
【０００４】
【課題を解決するための手段】
従来技術の課題を解決する本発明の構成は、運搬車の荷台上に搭載可能とした平面長方形状の穀類容器の底部中央長手方向にスクリュー移送体を軸架し、このスクリュー移送体の穀類搬送端に設けた排出口下部に、排出口からの排出穀類を受け入れてこれを外方に排出させる搬送体を接続させて搬送体内の移送体を駆動するモータを備えた穀類排出口部を回動可能に接続してなる穀類容器において、前記穀類容器の左右長辺側略中心位置に、台車構造の移動支持手段を着脱可能に、かつ移動支持手段に対して穀類容器が水平，垂直の２姿勢で支持できるように軸支連結するとともに、この軸支連結部に、前記穀類容器の垂直姿勢が、前記穀類排出口部を設置した側の下向回動によってのみ得られるようにした回動方向規制手段を設けたこと、および、穀類排出口部は、穀類容器に対し回動をロックする手段と、穀類容器の垂直姿勢時におけるモータの浮上り防止手段を有しているものである。
穀類容器を構成する前記モータを備えた穀類排出口部の回動をロックする手段と、穀類容器の垂直姿勢時におけるモータの浮上り防止手段を設けたものである。
【０００５】
【作用】
穀類容器の垂直姿勢が、穀類排出口部やモータを回動可能に付設した側の下向回動によってのみ得られるよう軸支連結部に回動方向規制手段を設けたことにより、可動構造とした穀類排出口部の揺動が少く、機構部の損傷を防止しうるとともに、垂直姿勢時の穀類容器の安定性が向上しうる。垂直姿勢時に穀類排出口部より上位となるモータの浮上りが容易に防止でき、更に一層揺動による穀類容器の安定性の向上が図れる。
【０００６】
【実施例】
次に、図面について本発明実施例の詳細を説明する。
図１は穀類容器の移動，格納状態を示す側面図、図２は図１の正面図、図３は運搬車の荷台上に穀類容器を搭載又は荷卸しする状態を示す側面図、図４は図３のＡ−Ａ線の断面図、図５は移動台車と穀類容器の連結機構の分解斜視図、図６は穀類容器に設けた昇降リフター部の側面図、図７は昇降リフター部の平面図、図８は昇降リフター部の正面図、図９は穀類排出機構部の平面図、図１０は穀類機構部の一部切欠側面図、図１１は図５に示す規制体の別実施例を示す斜視図である。
【０００７】
本願発明は、移動支持体Ａとこれに軸支支持される穀類容器Ｂとからのもので、該移動支持体Ａは次のように構成されている。即ち、増ホッパー１を除去した状態の前記穀類容器Ｂの高さｈより若干長尺の台杆２の前後端部に夫々キャスター３をとりつけ、台杆２の上部中央にノックピン４の挿通用の小孔５を段設した角パイプ構造の支持基杆６を垂設するとともに、該支持基杆６の上部に角パイプ構造で前記小孔５に適合する小孔５ａを形成した支持杆６ａを伸縮調整可能に被嵌する。前記支持杆６ａの上端内側、詳しくは、穀類容器Ｂに面する側の上端に角筒構造のアーム７を水平に設け、このアーム７の先端に側方に平面形状が「型をした回動規制突片８ａを一体形成した円盤８を設けるとともに、アーム７に水平姿勢の回動支軸９を連設する。この回動支軸９の先端部にノックピン１０を挿通する小孔１１を設ける。
一方、前記角筒構造のアーム７の一側面に平面形状がコ字形の枠体１２を設け、この枠体１２及び前記円盤８に比較的長尺でアーム７の軸線と平行なロック杆１３を水平移動可能に挿通するとともに、前記枠体１２の内面とロック杆１３との間に弾設したスパイラル発条１４により、ロック杆１３に対して常に穀類容器Ｂ方向に向かう付勢力を付与したものである。また、前記支持基杆６の下端内側に垂直姿勢の穀類装置Ｂと連結する「形状の連結杆１５の基部を軸支する。移動支持体Ａは上述のように構成されている。又図３，図４から明らかなように、前記回動支軸９の高さは、これに水平に支承された穀類容器Ｂの底辺と運搬車の荷台上面との間に後述する動作説明で述べるように、適度の間隔が構成されるよう設計するものである。
【０００８】
次に、穀類容器Ｂは次のように構成されている。特に図４に示すように、縦杆１６ａと横杆１６ｂにより平面形状が長方形状の立方枠体１６を構成し、この立方枠体１６の長辺方向にそって断面形状が偏平Ｖ字形となる両傾斜板１７ａと、該両傾斜板１７ａの下端突き合わせ間に設けたＵ字構造の穀類移送部１７ｂとからなる底板１７を張設するとともに、前記穀類移送部１７ｂにモータ１８により駆動するスクリュー移送体１９を装架する。一方、前記穀類移送部１７ｂの穀類送出端下面に円形の排出筒１７ｃを設け、この排出筒１７ｃに図９，図１０に示すように、前記立方枠体１６に回動可能に軸支された穀類排出口部２０の上部に形成せる円形の受入筒２０ａを吊持状態に連結する。前記穀類排出口部２０には、特に図示してないがオーガやスパイラル移送体を内設した可撓パイプ構造からなる穀類搬送体が接続されるもので、これの台板２１上にはオーガのスクリュー移送体やスパイラル移送体を駆動するモータ２２が搭載されている。図中２３は前記穀類排出口部２０の回動を支持する半円形状の案内レール，２４は台板２１端に設けた前記案内レール２３上に乗載する転輪，２５は前記穀類排出口部２０の一側に、而もこれの長手軸線方向にそって貫通支持された長尺のロック杆で、該ロック杆２５の先端は前記案内レール２３の一側に設けた円弧状の案内側壁２３ａに形成せるロック孔２３ｂに嵌脱可能に挿入係合されるとともに、前記穀類排出口部２０の内面とロック杆２５との間に弾設したスパイラル発条２６により、常に案内側壁２３ａ方向に向かう付勢作用をロック杆２５に付与するようにしたものである。更に、前記円弧状の案内側壁２３ａの上端に、案内レール２３の上方に臨む前記転輪２４の浮き上り防止用の抑え金具２３ｃを設ける。
前記立方枠体１６を構成する両長辺側中央部に設けた縦杆１６ａの略中央部に、特に図５に示すように、前記移動支持体Ａの回動支軸９を挿嵌支承する軸筒９ａ，前記ロック杆１３が挿嵌される穀類容器Ｂの水平姿勢，垂直姿勢を保持するための係止孔２７ａ，２７ｂ及び前記回動規制突片８ａが係合される回動規制部２８ａを上下２個所に形成する円弧状の案内面２８ｂをもつ凹所２８を設けた規制体２９をとりつける。この円弧状の案内面２８ｂは前記軸筒２６の中心点と、前記移動支持体Ａを構成する円盤８に設けた前記回動規制突片８ａの内側面とを結ぶ距離を半径としたものによって形成してあり、回動規制突片８ａの内面に案内面２８ｂが摺接回動し、回動規制部２８ａが回動規制突片８ａに回動係止される。このように、水平姿勢に軸支された穀類容器Ｂを垂直姿勢に姿勢を変えるに際し、前記穀類排出口部２０を設置した可動部材の多い側を下向き傾斜方向に回動規制することにより、穀類排出口部２０やモータ２２などの可動部材に不自然な無理な応力を与えてこれらの部材を損傷させたりすることがなく、円滑な姿勢変更がなしうるようにしたものである。
尚、前記規制体２９は、縦杆１６ａを側方から挟むように平面形状がコ字形に形成するとともに、縦杆１６ａに溶接手段により固定したものであるが、図１１に示すように、縦杆１６ａの上下に位置決めストッパー３０を付設し、この両位置決めストッパー３０間に規制体２９の上下端を当接支持するとともに、規制体２９の前記縦杆１６ａから外れた部位の上下に締付ボルト３１を設け、この締付ボルト３１の締付け作用により規制体２９を縦杆１６ａに着脱自在に装着することができる。このことは、既に販売された従来の穀類容器に規制体２９をとりつけ、本発明の取扱い装置が適応し使用うるようにしたものである。
更に、立方枠体１６を構成する左右長辺側の最下段横杆１６ｂの略中央部に、一端に比較的径大の車輪３２を軸支したレバー３３の中央部を軸着するとともに、このレバー３３の他端に連杆３４の基部を直角方向に連着し、更にこの連杆３４の他側端部に、図７に示すように一端が立方枠体１６の外側方に若干突出するパイプ構造の操作杆３５を斜めにとりつけ、この操作杆３５に長尺で両端に抜け止め構造を設けた操作レバー３６を挿嵌して構成した昇降リフター３７をとりつけたものである。図中３８は荷重により扛上姿勢の車輪３２が不用意に働くのを防止するために、最下段の横杆１６ｂの下面に係止するようにしたフック杆である。本願発明の穀類容器Ｂは上述のように構成されている。更に、図中３９は運搬車，４０は荷台である。
【０００９】
【取扱い作業の説明】
格納状態にある穀類容器Ｂを運搬車３９の荷台４０上に搭載設置する場合には、図１の垂直格納姿勢にある穀類容器Ｂを水平姿勢としこの姿勢をロックする。そして図４に示すように移動支持体Ａを運搬車３９の荷台４０を挟むように誘導し図３の状態とする。そして昇降リフター３７を作動し図のようにセットすると穀類装置Ｂは若干リフトアップされ、移動支持体Ａのキャスター３が図３，４のように浮上する。この状態で移動支持体Ａを穀類容器Ｂからとり外し、前記昇降リフター３７を作動しこれを立方枠体１６の内方に格納すると穀類装置Ｂは荷台４０上に載置される。
コンバインによる収穫作業が全て完了し穀類容器Ｂを格納する場合には、昇降リフター３７により穀類容器Ｂを荷台４０上にリフトアップする。次いで穀類容器Ｂに移動支持体Ａを結合したのち昇降リフター３７を旧状に戻すと移動支持体Ａのキャスター３が接地するとともに穀類装置Ｂが若干下降するが、穀類容器Ｂは荷台４０より浮いている状態である。この状態で移動支持体Ａを移動して荷台４０から離反するか、あるいは運搬車３９を前方に移動させて荷台４０を穀類装置Ｂの下方から除いたのち、手動によって水平姿勢の穀類装置Ｂを垂直姿勢に変更させ、この姿勢をロックしたのち所定の場所に移動し格納する。移動支持体Ａはキャスター３によって移動するのでその運行方向は任意に変えられ、狭い場所の通過には穀類装置Ｂの側面側を先行させるものである。
【００１０】
【発明の効果】
上述のように本発明の構成によれば、次のような効果が得られる。
（ａ）長方形状の穀類容器は左右一対の移動支持手段間に軸支され、水平姿勢及び垂直姿勢の２姿勢に保持でき、運搬車の荷台への搭載及び荷台からの荷卸し作業が容易に行われるとともに、垂直姿勢で狭い場所でも移動でき、又格納スペースが大巾に削減しうる。
（ｂ）穀類容器の垂直姿勢が、穀類排出口部やモータを回動可能に付設した側の下向回動によってのみ得られるよう軸支連結部に回動方向規制手段を設けたことにより、可動構造とした穀類排出口部の揺動が少く、機構部の損傷を防止しうるとともに、垂直姿勢時の穀類容器の安定性が向上しうる。
（ｃ）垂直姿勢時に穀類排出口部より上位となるモータの浮上りが容易に防止でき、更に一層揺動による穀類容器の安定性の向上が図れる。
【図面の簡単な説明】
【図１】穀類容器の移動，格納状態を示す側面図である。
【図２】図１の正面図である。
【図３】運搬車の荷台上に穀類容器を搭載又は荷卸しする状態を示す側面図である。
【図４】図３のＡ−Ａ線の断面図である。
【図５】移動台車と穀類容器の連結機構の分解斜視図である。
【図６】穀類容器に設けた昇降リフター部の側面図である。
【図７】昇降リフター部の平面図である。
【図８】昇降リフター部の正面図である。
【図９】穀類排出機構部の平面図である。
【図１０】穀類機構部の一部切欠側面図である。
【図１１】図８の別実施例を示す斜視図である。
【図１２】従来の穀類容器の取扱い装置の斜視図である。
【符号の説明】
Ａ  移動支持体
Ｂ  穀類容器
１  増ホッパー
２  台枠
３  キャスター
４  ノックピン
５  小孔
５ａ  小孔
６  支持基杆
６ａ  支持杆
７  アーム
８  円盤
８ａ  回動規制突片
９  回動支軸
９ａ  軸筒
１０  ノックピン
１１  小孔
１２  枠体
１３  ロック杆
１４  スパイラル発条
１５  連結杆
１６  立方枠体
１６ａ  縦杆
１６ｂ  横杆
１７    底板
１７ａ  傾斜板
１７ｂ  穀類移送部
１７ｃ  排出筒
１８  モータ
１９  スクリュー移送体
２０  穀類排出口部
２１  台板
２２  モータ
２３  案内レール
２３ａ  案内側壁
２３ｂ  ロック孔
２４  転輪
２５  ロック杆
２６  スパイラル発条
２７ａ  係止孔
２７ｂ  係止孔
２８  凹所
２８ａ  回動規制部
２８ｂ  案内面
２９  規制体
３０  ストッパー
３１  締付ボルト
３２  車輪
３３  レバー
３４  連杆
３５  操作杆
３６  操作レバー
３７  昇降リフター
３８  車輪
３９  運搬車
４０  荷台
【図１】
0003691867.tif 000002
【図２】
0003691867.tif 000003
【図３】
0003691867.tif 000004
【図４】
0003691867.tif 000005
【図５】
0003691867.tif 000006
【図６】
0003691867.tif 000007
【図７】
0003691867.tif 000008
【図８】
0003691867.tif 000009
【図９】
0003691867.tif 000010
【図１０】
0003691867.tif 000011
【図１１】
0003691867.tif 000012
【図１２】
0003691867.tif 000013